(57)【要約】【課題】  衛生機器の排水と昇降便器の排水とを一つの床側排水管へ排水する排水構造において、床側排水管が詰まった場合においても衛生機器から汚水や汚物が溢れ出すことを防止することができる。【解決手段】  本発明では、昇降可能に設けられた便器本体と、便器本体の排水口に接続され、便器本体の昇降に合わせて伸縮または昇降する便器排水管と、衛生機器と、衛生機器の排水口に接続された衛生機器排水管と、便器排水管と衛生機器排水管とを床側排水管に接続するための合流部材と、を備え、衛生機器の溢れ面が便器本体の上限位置における便器本体の溢れ面よりも上方に位置することを特徴とする。【選択図】  図２
2010111996.tif 000002
【特許請求の範囲】
【請求項１】
昇降可能に設けられた便器本体と、
前記便器本体の排水口に接続され、前記便器本体の昇降に合わせて伸縮または昇降する便器排水管と、
衛生機器と、
前記衛生機器の排水口に接続された衛生機器排水管と、
前記便器排水管と前記衛生機器排水管とを床側排水管に接続するための合流部材と、を備え、
前記衛生機器の溢れ面が前記便器本体の上限位置における前記便器本体の溢れ面よりも上方に位置することを特徴とするトイレユニット。
【請求項２】
前記衛生機器が手洗い器または洗面器であることを特徴とする請求項１に記載のトイレユニット
【発明の詳細な説明】
【技術分野】
【０００１】
本発明は、部屋の床若しくは壁に取り付けられ昇降する便器の排水とその他の衛生機器の排水とが合流するトイレユニットに関する発明である。
【背景技術】
【０００２】
従来、昇降便器の排水管構造については、特許文献１のような蛇腹を使用した構造が知られている。
【０００３】
一方、従来の便器において、衛生機器と便器の排水管が合流する構造として特許文献２や特許文献３のように、便器の排水ソケットに手洗い器などの衛生機器からの排水管が合流する構造が知られている
【特許文献１】特開平1-235739号公報
【特許文献２】特開2003-27563号公報
【特許文献３】特開2003-313925号公報
【発明の開示】
【発明が解決しようとする課題】
【０００４】
ところで、昇降便器では一般的な便器の設置高さよりも高い位置まで便器が上昇するため、手洗い器などの衛生機器を一般的な設置高さに設置すると、昇降便器の溢れ面が衛生機器の溢れ縁の上方に位置してしまう可能性がある。排水管が詰まった場合に、両者がこのような位置関係であれば、便器を洗浄すると手洗い器などの衛生機器から汚物が溢れ出してしまう恐れがある。
衛生機器に汚水が流れこんだり汚物が溢れ出すようなことになれば、非常に不衛生であると同時に、悪臭などで使用者に不快な思いをさせてしまうことなる。本発明は上記問題を解決するためになされたものである。
【課題を解決するための手段】
【０００５】
上記課題を解決するための本発明によれば、昇降可能に設けられた便器本体と、
前記便器本体の排水口に接続され、前記便器本体の昇降に合わせて伸縮または昇降する便器排水管と、
衛生機器と、
前記衛生機器の排水口に接続された衛生機器排水管と、
前記便器排水管と前記衛生機器排水管とを床側排水管に接続するための合流部材と、を備え、
前記衛生機器の溢れ面が前記便器本体の上限位置における前記便器本体の溢れ面よりも上方に位置することを特徴とする。
【発明の効果】
【０００６】
本発明によれば、衛生機器の排水と昇降便器の排水とを一つの床側排水管へ排水する排水構造において、床側排水管が詰まった場合においても衛生機器から汚水や汚物が溢れ出すことを防止することができる。
【発明を実施するための最良の形態】
【０００７】
以下、本発明の一実施形態にかかる壁掛昇降便器、手洗器で構成されたトイレブースについて図面に基づいて説明する。図１は、本発明の一実施形態にかかる壁掛昇降便器、手洗器を設置したトイレブースを示す全体概略図であり、図２は図１に示した昇降上限位置における壁掛昇降便器の溢れ面と手洗器の溢れ面との高さの関係を示した図であり、図３は図１に示した壁掛昇降便器をキャビネット後方から見た場合の全体斜視図である。
【０００８】
本発明の一実施形態にかかるトイレブースは図１に示すように壁掛昇降便器１、壁掛昇降便器の便器本体９を保持するための便器固定フレーム３０（図３参照）を収納するキャビネット２、手洗器３、手洗器のトラップを隠蔽するための手洗キャビネット４、手洗器を設置するためのカウンター５、手洗器３への給水管、手洗器３からの手洗排水管１４（図２参照）を隠蔽するためにカウンターに取り付けられた配管カバー６、壁掛昇降便器１を昇降するためのリモコン７、便器本体９に設置された温水洗浄便座８から構成されている。
【０００９】
図２は壁掛昇降便器１が最も高い位置まで上昇したときの状態を示している。スパウト１２からの吐水は手洗器３及び手洗器３の下に設置されたトラップ１３を介して手洗排水管１４を通りプラグソケット２００から排出される。壁掛昇降便器１からの排水は伸縮式排水管１００を通ってプラグソケット２００から排出される。
【００１０】
手洗器の溢れ面１１の高さは壁掛昇降便器１が最も高く上昇した場合の壁掛昇降便器の溢れ面１０の高さよりも高い位置に設置されている。ここで壁掛昇降便器の溢れ面１０は便器本体９の開口上端面である。
【００１１】
このような位置に設置することで、床排水管９０（図４参照）が詰まった状態で便器を洗浄したとしても、洗浄水が溢れるのは壁掛昇降便器の溢れ面１０からであり手洗器排水管１４を通って手洗器３まで逆流し、手洗器の溢れ面１１から溢れることはなく衛生的である。
【００１２】
図３に示すように壁掛昇降便器１は便器本体９の底部がトイレ床面Ｆに接しない構造の壁掛便器である。便器本体９が固定される便器固定フレーム３０は固定フレーム３１と可動フレーム３２を備えている。ベース板２０には２本の固定フレーム３１の下端から壁掛昇降便器１の前方に向かって便器先端より若干先まで延在している鋼板ベース板２１が戴置固定されている。鋼板ベース板２１の周囲は面一のトイレ床を形成するように鋼板ベース板２１と同じ厚みの合板で埋められる。
【００１３】
また、可動フレーム３２の上端にはロータンク（図示せず）を載せる載置部３３が設けられ、便器洗浄用の水を貯水するロータンクがこの上に載置されるようになっている。
【００１４】
また、固定フレーム３１の下方部分には、ＤＣモータなどのモータ６１が配置され、可動フレーム３２の一部にはこのモータ６１で駆動され伸縮自在に延在する例えばボールネジからなる伸縮シャフト６２の端部が結合されている。そして、トイレの使用者や清掃者がトイレに備わった昇降リモコン７（図１参照）を操作することでモータ６１の駆動力を介して可動フレーム３２を固定フレーム３１に対して所定量だけ昇降させるようになっている。
【００１５】
固定フレーム３１の下端は、図３に示すように、断面Ｌ型の鋼板からなる取付け板３６を介してボルト等の締結具を用いて鋼板ベース板２１に固定されている。
【００１６】
図４に示すように、伸縮式排水管１００は便器と接続された汚物排出口９４に接続された便器側排水管１０１と床排水管９０とに連通している。そして、伸縮式排水管１００は接続排水管１１０と蛇腹管１２０とを備えている。
【００１７】
また、伸縮式排水管１００はプラグソケット２００を介して床排水管９０と接続されているトイレ床に設けられた挿通用開口部と上述した床排水管９０との間の隙間がプラグソケット２００により覆われている。
【００１８】
便器側排水管１０１は伸縮性を有した例えば軟質の或る程度の強度と洗浄液の排水に耐えられる耐薬品性の塩ビ管などのゴムでできており、便器側方から見て略Ｌ字形を有し、一端部が便器と接続された汚物排出口９４に接続され、他端が接続排水管１１０の上端部１０１ａに結合されている。施工時のプラグソケットとフレームの配置誤差等により、仮にプラグソケットの固定位置と便器側排水管の端部の距離が規定の距離よりも長くなった或いは短くなった場合にも、便器側排水管１０１が伸縮性を有することで、また便器側排水管１０１が蛇腹部１０１ａを有することで、蛇腹部１０１ａで誤差を吸収することができ、接続排水管１１０を傾けることなく鉛直方向に中心を合わせて配置することを可能とし、円滑な便器の昇降を可能とする。
【００１９】
また、接続排水管１１０の上端部１１０ａには便器側排水管１０１の端部が被せられ、この端部の周囲をホースクランプ（図示せず）によってしっかりと締結し、排水管内部の汚水や臭気がこの連結部から外部に漏れないようになっている。
【００２０】
図５は図４に示した接続構造を上から見た上面図である。
【００２１】
図６は、図５に示したプラグソケットの上面図である。図７は、図６に示したプラグソケットの斜視図である。図８は、図７に示したプラグソケットの分解構成図である。
プラグソケット２００は、十分な強度を有し成形性に優れ洗浄液の排水に耐えられる耐薬品性を有した硬質の塩ビ等でできており、上側プラグソケット２０１と下側プラグソケット２０２で構成されている。
上側プラグソケット２０１は、延出部２００ａに手洗排水管１４（図２参照）を接続するための手洗排水合流口２０３を備え、蛇腹管１２０を接続するための上側凸部２０４と上部嵌合壁２０５を有する。
下側プラグソケット２０２は、ベース板２１０とベース板２１０から上方に突出し上端部が縮径した開口部を有する円筒管２１２と下部嵌合壁２１３を備え、床排水管９０と接続される。ベース板２１０の四隅にはプラグソケット２００をトイレ床面Ｆに取り付けるためのボルト等の締結具を通す取付孔２１１が形成されている。
【００２２】
また、円筒管２１２の下端部には便器が昇降するとき、接続排水管１１０の動きをスムースにするために、接続排水管１１０と蛇腹管１２０に貯まった空気を床排水管９０
に吸排気するための吸排気口２２３が設けられている。
【００２３】
また、円筒管２１２の内径は、接続排水管１１０の外径と略等しくなっており、これによって接続排水管１１０を円筒管２１２の内側に挿入した際に、上下方向にスムーズに摺動可能になっている。便器本体９の昇降に合わせて接続排水管１１０も昇降し、昇降の上限位置から下限位置のいずれの位置においても接続排水管１１０と円筒管２１２との重なりができるように設計されている。このような構成にすることで、便器からの排水が確実に床排水管９０に流れ込むようになっている。
【００２４】
また、下側プラグソケット２０２の傾斜面２０２ａは手洗排水管１４から手洗排水合流部２０３を経由し流れ込んだ排水が流れやすく、さらに万が一床排水管９０が詰まり、汚水が逆流しても詰まりが解消したときには汚水が床排水管９０に流れやすくするため、下部嵌合壁２１３側から円筒管２１２側に傾斜がついている。
【００２５】
上部嵌合壁２０５は下部嵌合壁２１３の内周側に挿入可能であり、上部嵌合壁２０５の外周面と下部嵌合壁２１３の内周面とが接着剤等で接合されている。
【００２６】
また、手洗排水管１４は蛇腹管１２０に干渉しないように配置しているので、便器の昇降する際に、蛇腹管１２０の伸縮が手洗排水管１４によって妨げられることがない。
【００２７】
さらには、手洗排水管１４は床に固定されたプラグソケット２００に接続されているので、便器の昇降に合せて手洗排水管１４を伸縮、あるいは昇降させる必要がない。手洗排水管１４は複数の排水管を連結して構成する場合が多く、手洗排水管１４を伸縮、あるいは昇降させる場合には、その連結部に緩みが生じる可能性がある。前記構成とすることで、手洗排水管１４の信頼性を損なわず、漏水等を防ぐことができる。
【００２８】
ブラグソケット２００は床排水管９０との連結部である外周壁２３０及び内周壁２４０が側面視でベース板２１０より下方に突出するように設けられている。床排水管９０とプラグソケット２００とは、床下側で接着接続される。このような構成にすることで、蛇腹部１２０の伸縮スペースを長くとることができ、便器本体の昇降ストロークも大きく取ることができる。また、蛇腹形状が複雑になること防ぐことができる。
【００２９】
また、延出部２００ａの下面と、上部嵌合壁２０５の内周面と、底面２１４とで形成される緩衝室２０２ｂは手洗器からの排水を床排水管側に導入するための空間である。緩衝室２０２ｂの高さをできるだけ低くすることで、蛇腹管１２０の伸縮スペースを広くとることができる。また、緩衝室２０２ｂは手洗水排水時にサイホンを発生しないよう床排水管９０の径よりも十分大きくなっている。
【００３０】
図９は建築躯体に取り付けた伸縮式排水管の状態を示す正面図、図１０は建築躯体に取り付けた伸縮式排水管の状態を示す側面図である。床排水管９０の排水心３００は住宅躯体である根太３０１、大引３０２の影響を受けにくい位置でしかもキャビネット前出を最小限にすることが可能な位置に設けられており、その床排水管９０の排水心３００と壁３０３の間に手洗排水合流部２０３を設けることで、キャビネット前出を広くすることなく、手洗排水管１４をプラグソケット２００に接続することができる。
【００３１】
手洗排水合流部２０３の開口を正面から見て横方向あるいは前方に向けることで、キャビネット前出を広くすることなく構成することができる。
【００３２】
手洗排水合流部２０３は蛇腹管１２０に隠れず前方から見える位置にあるため、伸縮式排水管１００を設置したあとでも前方から容易に手洗排水合流部２０３と手洗排水管１４とを接続できる。したがって、手洗排水管１４のメンテナンス時においても容易に作業を行うことができる。
【００３３】
図１１は建築躯体に取り付けた伸縮式排水管１００と便器固定フレーム３０の状態を示す正面図、図１２は建築躯体に取り付けた伸縮式排水管１００と便器固定フレーム３０の状態を示す側面図である。手洗排水合流部２０３は便器固定フレーム３０の内側にあり、手洗排水管１４も便器固定フレーム内側に配置しているので、便器固定フレーム３０の外側を収納スペースとして有効に活用できる。
【００３４】
図１３は、便器が最も低い位置まで下がったときの図である。プラグソケット２００の吸排気口２２３は、便器１０が上昇すると共に接続排水管１１０が伸びたときに、床排水管９０の内部から接続排水管１１０及び円筒管２１２と蛇腹管１２０とで画成された空間に吸気して蛇腹管１２０も抵抗なく伸びることができるよう設けられている。また、吸排気口２２３は、昇降便器１０が下降すると共に接続排水管１１０が縮んだときに、接続排水管１１０及び円筒管２１２と蛇腹管１２０とで画成された空間から床排水管９０の内部に排気して蛇腹管１２０も抵抗なく縮むようにしている。
【００３５】
プラグソケット２００は、外周縁から内側に向かって僅かに下方に傾斜した傾斜面２０２ａを有しており、仮に接続排水管１１０の下端部で汚物が詰まって接続排水管１１０内が満水となり、接続排水管１１０の上側円筒管１１１と下側円筒管１１２との接続部等から汚水が漏出した場合にも、傾斜面２０２ａ及び吸排気口２２３を介してこの汚水を床排水管９０に戻す役目を果たしている。
【００３６】
プラグソケット２００の内部は、図１３に示すように下側プラグソケット本体２０２の外周壁２３０の内側に内周壁２４０が周方向全体に亘って所定間隔隔てて備わっている。そして、上述した吸排気口２２３は、下側プラグソケット２０２の上面の内周壁２４０が延在形成する部分とこの内側の上方に突出した円筒管２１２との間であって円筒管２１２側に形成されている。
【００３７】
外周壁２３０と内周壁２４０との間にはこのように所定の間隙が周方向に亘って形成さ
れているので、大径の床排水管９１をプラグソケット２００に接続する場合は、外周壁２３０の内周面に床排水管９１の外周面が当接嵌合して接続され、小径の床排水管９２をプラグソケット２００に接続する場合は、内周壁２４０の内周面に床排水管９２の外周面が当接嵌合して接続されるようになっている。なお、小径の床排水管９２をプラグソケット２００に接続する場合は、床排水管９２の上端部がプラグソケット２００の吸排気口２２３を塞がないような寸法関係で吸排気口２２３がプラグソケット２００に形成されている。
【００３８】
プラグソケット２００の外周壁２３０には、図４に示すようにその上部に蛇腹管１２０の下端が被せられ、ホースクランプ（図示せず）を介して蛇腹管１２０の下端とプラグソケット２００の上部凸部２０４との間から臭気や汚水が漏出しないようにしている両者を密着させている。
【００３９】
蛇腹管１２０は、例えば軟質の塩ビなどの伸縮性に優れた材質でできており、その上側
端部は、接続排水管１１０と便器側排水管１０１との間の接続部にホースクランプを介して両者を密着させた状態で接続されるようになっており、その下側端部は円筒状をなしてこの下端部がプラグソケット２００の上部凸部２０４に被さり、上述したようにホースクランプで上部凸部２０４にしっかりと密着した状態で接続されるようにな
っている。
【００４０】
このとき、プラグソケット２００と蛇腹管１２０との接続部分の高さと、プラグソケット２００と蛇腹管１２０を固定する固定具であるホースクランプの高さとは、所定の遊びを除いて概同一となっている。このことにより、接続部分をより床面に近い位置に配置することができ、便器の最下端の位置をできるだけ低くできるよう工夫されている。
【００４１】
このように伸縮式排水管１００は、伸縮しても排水が逆勾配になることがないように、伸縮が常に鉛直方向になるように構成されている。
【００４２】
また、蛇腹を左右方向に取り回して伸縮するタイプに比べて、伸縮スペースが少なくて、便器の最下端の位置をより低くできるようになっている。
【００４３】
さらに、図１４は本発明の一実施形態にかかるトイレブースを示す全体概略図であり、壁掛昇降便器は最も高くまで上昇した場合を示した図である。オストメイト用汚物流し４００の溢れ面４０１の高さ、便器に座った状態で使用可能な手洗器５００の溢れ面５０１の高さ、手洗器６００の溢れ面６０１の高さはいずれも、壁掛昇降便器１が最も高くまで上昇した場合の便器本体９の溢れ面１０の高さよりも高く位置に設置されているので、万が一排水管が詰まった場合においてもオストメイト用汚物流し４００や手洗器５００、手洗い器６００から汚水が溢れだすことがなく衛生的である。
【００４４】
なお、本発明における昇降便器とは実施例にて説明した昇降便器に限らず、フレームにそって昇降する機構を備えた便器であれば、どのような形態であっても問題ない。例えば、フレームは床固定であっても、壁固定であっても、あるいはその両方に固定されていてもよい。また、下限位置において便器本体が床と当接していてもよいし、昇降は手動によって行われるものであってもよい。
また、本発明における衛生機器は、実施例において説明した手洗い器、オストメイトに限らず、その他の衛生機器であっても問題ない。例えば、洗面器や歯磨き用ボウル、掃除用流しなどが考えられる。
【図面の簡単な説明】
【００４５】
【図１】本発明の一実施形態にかかる壁掛昇降便器、手洗器を設置したトイレブースを示す全体概略図である
【図２】図１に示した壁掛昇降便器の溢れ面と手洗器溢れ面の高さの関係を示したもので壁掛昇降便器が最も高い位置に昇降した場合の図である。
【図３】図１に示した壁掛昇降便器の全体斜視図である。
【図４】図３で示した壁掛昇降便器の便器背面の汚物排出口と伸縮式排水管を組み立てた状態を示す断面図である。
【図５】図３で示した壁掛昇降便器の便器背面の汚物排出口と伸縮式排水管を組み立てた状態を示す上面図である。
【図６】図５に示したプラグソケットの上面図である。
【図７】図５に示したプラグソケットの斜視図である。
【図８】図５に示したプラグソケットの分解構成図である。
【図９】図３に示した伸縮式排水管を建築躯体に取り付けた状態を示す正面図である。
【図１０】図３に示した伸縮式排水管を建築躯体に取り付けた状態を示す側面図である。
【図１１】図３に示した伸縮式排水管、便器固定フレームを建築躯体に取り付けた状態を示す正面図である。
【図１２】図３に示した伸縮式排水管、便器固定フレームを建築躯体に取り付けた状態を示す側面図である。
【図１３】図１に示した壁掛昇降便器が最も低い位置まで下がった状態での便器背面の汚物排出口、伸縮式排水管を示す断面斜視図である。
【図１４】本発明の一実施形態にかかるトイレブースを示す全体概略図である。
【符号の説明】
【００４６】
１        壁掛昇降便器
２        キャビネット
３        手洗器
４        手洗キャビネット
５        カウンター
６        配管カバー
７        リモコン
８        温水洗浄便座
９        便器本体
１０      壁掛昇降便器の溢れ面
１１      手洗器溢れ面
１２      スパウト
１３      トラップ
１４      手洗排水管
２０      ベース板
２１      鋼板ベース板
３０      便器固定フレーム
３１      固定フレーム
３２      可動フレーム
３３      載置部
３６      取付け板
６１      モーター
６２      伸縮シャフト
９０      床排水管
９１      大径の床排水管
９２      小径の床排水管
９４      汚物排出口
１００    伸縮式排水管
１０１    便器側排水管
１０１ａ  蛇腹部
１１０    接続排水管
１１０ａ  上端部
１２０    蛇腹部
２００    プラグソケット
２００ａ  延出部
２０１    上部プラグソケット
２０２    下部プラグソケット
２０２ａ  傾斜面
２０２ｂ  緩衝室
２０３    手洗排水合流部
２０４    上側凸部
２０５    上部嵌合壁
２１０    ベース板
２１１    取付孔
２１２    円筒管
２１３    下部嵌合壁
２２３    吸排気口
２３０    外周壁
２４０    内周壁
３００    排水心
３０１    根太
３０２    大引き
３０３    壁
４００    オストメイト用汚物流し
４０１    オストメイト用汚物流しの溢れ面
５００    手洗器
５０１    手洗器の溢れ面
６００    手洗器
６０１    手洗器の溢れ面
【図１】
2010111996.tif 000003
【図２】
2010111996.tif 000004
【図３】
2010111996.tif 000005
【図４】
2010111996.tif 000006
【図５】
2010111996.tif 000007
【図６】
2010111996.tif 000008
【図７】
2010111996.tif 000009
【図８】
2010111996.tif 000010
【図９】
2010111996.tif 000011
【図１０】
2010111996.tif 000012
【図１１】
2010111996.tif 000013
【図１２】
2010111996.tif 000014
【図１３】
2010111996.tif 000015
【図１４】
2010111996.tif 000016